(57)【要約】【課題】電気光学装置において、画像の周囲に光漏れに起因する像が現れるということを極力防止等することで、画質を高める。【解決手段】ＴＦＴアレイ基板（１０）上に、データ線、走査線、ＴＦＴ及び画素電極を備えている。前記基板は、ＴＦＴ及び画素電極の形成領域として規定される画像表示領域（１０ａ）と、該画像表示領域の周辺を規定する周辺領域とを有する。画像表示領域上には、画素電極における電位を所定期間保持する蓄積容量と、該蓄積容量を構成する容量電極に接続される容量配線（４００）とを備え、前記画像表示領域及び前記周辺領域間を画する額縁領域（５３）上には、容量配線と同一膜として形成され、且つ、当該額縁領域の少なくとも一部に形成された額縁パターン（４０６）を備えている。この額縁パターンは、外部回路接続端子（１０２Ｑ）に接続された配線（４０４）とも同一膜として形成されている。【選択図】図８
2006106787.tif 000002
【特許請求の範囲】
【請求項１】
基板上に、
一定の方向に延びるデータ線及び該データ線に交差する方向に延びる走査線と、
前記走査線により走査信号が供給されるスイッチング素子と、
前記データ線により前記スイッチング素子を介して画像信号が供給される画素電極とを備えてなり、
前記基板は、前記画素電極の形成領域として規定される画像表示領域を有し、
前記画像表示領域の周辺には、データ線駆動回路と、前記データ線駆動回路からの配線とを有し、
前記画像表示領域上に、
前記画素電極における電位を保持するための蓄積容量と、
該蓄積容量を構成する容量電極に所定電位を供給する第１配線とを備え、
前記第１配線と同一膜として形成され、前記画像表示領域の周辺に位置する額縁領域の少なくとも一部を構成する額縁パターンを備え、
前記額縁パターンの少なくとも一部は、隣接する前記配線の間隙に平面的に重なるように短冊状に分断されて形成され、浮遊電位とされることを特徴とする電気光学装置。
【請求項２】
前記配線は、前記データ線駆動回路により制御されるサンプリング回路から延びる引き出し配線であることを特徴とする請求項１に記載の電気光学装置。
【請求項３】
前記画像表示領域の周辺に、
前記基板の辺縁部に沿って形成された外部回路接続端子と、該外部回路接続端子に延設
された第２配線とを更に備え、
該第２配線の少なくとも一部は、前記第１配線と同一膜として、且つ、該第１配線と電気的に接続されて形成されていることを特徴とする請求項１又は２のいずれか一項に記載の電気光学装置。
【請求項４】
前記第１配線は、前記データ線の上に層間絶縁膜を介して形成されていることを特徴とする請求項３に記載の電気光学装置。
【請求項５】
前記第１配線は、前記画素電極を含む層の直下の層に形成されていることを特徴とする請求項３又は４のいずれか一項に記載の電気光学装置。
【請求項６】
前記第１配線は、遮光性材料から構成されていることを特徴とする請求項１乃至５のいずれか一項に記載の電気光学装置。
【請求項７】
前記第１配線は、相異なる材料からなる積層構造を有することを特徴とする請求項１乃至６のいずれか一項に記載の電気光学装置。
【請求項８】
前記基板に対向配置される対向基板と、該対向基板上に形成された遮光膜を更に備えてなり、
前記額縁パターンは、前記遮光膜と重なるように形成されていることを特徴とする請求項１乃至７のいずれか一項に記載の電気光学装置。
【請求項９】
前記遮光膜は、前記対向基板の辺縁部に沿うように形成された額縁遮光膜を含むことを特徴とする請求項８に記載の電気光学装置。
【請求項１０】
基板上に、
一定の方向に延びるデータ線及び該データ線に交差する方向に延びる走査線と、
前記走査線により走査信号が供給されるスイッチング素子と、
前記データ線により前記スイッチング素子を介して画像信号が供給される画素電極とを備えてなり、
前記基板は、前記画素電極の形成領域として規定される画像表示領域を有し、
前記画像表示領域の周辺には、データ線駆動回路と、前記データ線駆動回路により制御されるサンプリング回路から延びる引き出し配線とを有し、
前記画像表示領域の周辺に位置する額縁領域の少なくとも一部を構成する額縁パターンを備え、
前記額縁パターンの少なくとも一部は、隣接する前記引き出し配線の間隙に平面的に重なるように短冊状に分断されて形成され、浮遊電位とされることを特徴とする電気光学装置。
【請求項１１】
基板上に、
一定の方向に延びるデータ線及び該データ線に交差する方向に延びる走査線と、
前記走査線により走査信号が供給されるスイッチング素子と、
前記データ線により前記スイッチング素子を介して画像信号が供給される画素電極とを備えてなり、
前記基板は、前記画素電極の形成領域として規定される画像表示領域を有し、
前記画像表示領域の周辺には、データ線駆動回路と、前記データ線駆動回路により制御されるサンプリング回路とを有し、
前記画像表示領域の周辺に位置する額縁領域の少なくとも一部を構成する額縁パターンを備え、
前記額縁パターンの少なくとも一部は、前記サンプリング回路内における隣接するスイッチング素子の間隙に平面的に重なるように短冊状に分断されて形成され、浮遊電位とされることを特徴とする電気光学装置。
【請求項１２】
基板上に、
一定の方向に延びるデータ線及び該データ線に交差する方向に延びる走査線と、
前記走査線により走査信号が供給されるスイッチング素子と、
前記データ線により前記スイッチング素子を介して画像信号が供給される画素電極とを備えてなり、
前記基板は、前記画素電極の形成領域として規定される画像表示領域を有し、
前記画像表示領域上に、
前記画素電極における電位を保持するための蓄積容量と、
該蓄積容量を構成する容量電極に所定電位を供給する第１配線とを備え、
前記第１配線と同一膜として形成され、前記画像表示領域の周辺に位置する額縁領域の少なくとも一部を構成し、前記所定電位と異なる電位が供給される額縁パターンとを備え、
前記第１配線が延設された第２配線は、前記額縁パターンの間隙を抜けて設けられていることを特徴とする電気光学装置。
【請求項１３】
基板上に、
一定の方向に延びるデータ線及び該データ線に交差する方向に延びる走査線と、
前記走査線により走査信号が供給されるスイッチング素子と、
前記データ線により前記スイッチング素子を介して画像信号が供給される画素電極とを備えてなり、
前記基板は、前記画素電極の形成領域として規定される画像表示領域を有し、
前記画像表示領域上に、
前記画素電極における電位を保持するための蓄積容量と、
該蓄積容量を構成する容量電極に所定電位を供給する第１配線とを備え、
前記第１配線と同一膜として形成され、前記画像表示領域の周辺に位置する額縁領域の少なくとも一部を構成する額縁パターンを備え、
前記額縁パターンの少なくともデータ線駆動回路側の辺の領域は、浮遊電位として分断されて形成され、
前記額縁パターンの少なくとも走査線駆動回路側の辺の領域は、前記所定電位として形成されることを特徴とする電気光学装置。
【請求項１４】
請求項１乃至１３のいずれか一項に記載の電気光学装置を具備してなることを特徴とする電子機器。
【発明の詳細な説明】
【技術分野】
【０００１】
本発明は、例えばアクティブマトリクス駆動の液晶装置、電子ペーパなどの電気泳動装置、ＥＬ（Electro-Luminescence）表示装置等の電気光学装置の技術分野に属する。また、本発明は、このような電気光学装置を具備してなる電子機器の技術分野にも属する。
【背景技術】
【０００２】
従来、基板上に、マトリクス状に配列された画素電極及び該電極の各々に接続された薄膜トランジスタ（Thin Film Transistor；以下適宜、「ＴＦＴ」という。）、該ＴＦＴの各々に接続され、行及び列方向それぞれに平行に設けられたデータ線及び走査線等を備えることで、いわゆるアクティブマトリクス駆動が可能な電気光学装置が知られている。
【０００３】
このような電気光学装置では、上記に加えて、前記基板に対向配置される対向基板を備えるとともに、該対向基板上に、画素電極に対向する対向電極等を備え、更には、画素電極及び対向電極間に挟持される液晶層等を備えることで、画像表示が可能となる。すなわち、液晶層内の液晶分子は、画素電極及び対向電極間に設定された所定の電位差によって、その配向状態が適当に変更され、これにより、当該液晶層を透過する光の透過率が変化することによって画像の表示が可能になるのである。
【０００４】
また、前述の電気光学装置における前記基板は、走査線、データ線及び画素電極等が設けられる画像表示領域と、走査線駆動回路、データ線駆動回路、これら回路に所定信号を供給するための外部回路接続端子等が設けられる周辺領域とを有する。このような電気光学装置の一典型例としては、例えば特許文献１に記載されているものを挙げることができる。
【０００５】
【特許文献１】特開平１１−２２３８３２号公報
【発明の開示】
【発明が解決しようとする課題】
【０００６】
しかしながら、従来における電気光学装置においては、次のような問題点がある。すなわち、前記の周辺領域においては、通常、基板及び対向基板を接着するためのシール材が設けられる。このシール材としては、取り扱いが容易であること、比較的強力な接着力が得られること等から、光硬化性樹脂が好ましく用いられている。この場合、シール材を硬化するためには、基板及び対向基板間に挟まれて存在する当該シール材に対して光を照射する必要がある。他方、画像表示領域及び周辺領域には、前述した走査線及びデータ線と走査線駆動回路及びデータ線駆動回路とを接続するための配線や、データ線に画像信号を好適に供給するためのサンプリング回路、該画像信号それ自体を供給する画像信号線等各種の配線が形成される必要がある。これらによると、周辺領域上の所定の領域においては、前記シール材と前記各種の配線等が併せて形成される必要があることになるが、当該領域では、シール材硬化のために、所定の隙間を設けておく等によって光の通り道を確保しておくことが行われる。
【０００７】
しかしながら、これによると、完成後の電気光学装置を実地に使用している際に、光の通り道として設けられた前記の所定の隙間等を介して光が漏れてしまうという問題が生じることになる。すなわち、当該電気光学装置を、例えば液晶プロジェクタ等の投射型表示装置のライトバルブとして用いる場合においては、このライトバルブに対して光を投射するとともに、該ライトバルブを通り抜けた光をスクリーン上に拡大投射することで、画像表示を行うことになるが、前記所定の隙間等が存在すると、ライトバルブの通り抜けた光に、該隙間から漏れ出た光が混入してしまうのである。このような場合、スクリーン上の画像の周囲には、前記各種の配線等のパターンの像が映り込むなどの事態が生じ、画像の品質を貶める結果となってしまう。
【０００８】
また、従来の電気光学装置においては、画像表示領域に、画素電極における電位保持特性を高めるために蓄積容量が形成される場合がある。この蓄積容量を構成する一方の電極（以下、「容量電極」ということがある。）は、一定の電位に維持することが好ましいため、周辺領域に形成される外部回路接続端子に接続されることが行われている。しかしながら、この場合、両者間をコンタクトホールを介して接続する態様が採用されると、該コンタクトホールに起因する高抵抗化がもたらされるおそれが大きいこと、また、コンタクトホール毎に特性が異なるという事態が生じ得ること等から、容量電極、或いはこれから延びる配線の時定数が大きくなり、結果、画像上にクロストークを発生させる等という不具合が生じることがあったのである。なお、前記の配線が、画像表示領域を横切るように形成されている場合には、いわゆる横クロストークとして観察されることになる。
【０００９】
本発明は、上記問題点に鑑みてなされたものであり、画像の周囲に光漏れに起因する像が現れるということを極力防止し、或いは容量電極に所定電位を好適に供給することによって、高品質な画像を表示することの可能な電気光学装置を提供することを課題とする。また、本発明は、そのような電気光学装置を具備する電子機器を提供することをも課題とする。
【課題を解決するための手段】
【００１０】
本発明の電気光学装置は、上記課題を解決するため、基板上に、一定の方向に延びるデータ線及び該データ線に交差する方向に延びる走査線と、前記走査線により走査信号が供給されるスイッチング素子と、前記データ線により前記スイッチング素子を介して画像信号が供給される画素電極とを備えてなり、前記基板は、前記画素電極及び前記スイッチング素子の形成領域として規定される画像表示領域と、該画像表示領域の周辺を規定する周辺領域とを有し、前記画像表示領域上に、前記画素電極における電位を所定期間保持する蓄積容量と、該蓄積容量を構成する容量電極に所定電位を供給する第１配線とを備え、前記第１配線と同一膜として形成され、前記画像表示領域と前記周辺領域とを画する額縁領域の少なくとも一部を構成する額縁パターンとを備えている。
【００１１】
また、本発明の電気光学装置は、基板上に、
一定の方向に延びるデータ線及び該データ線に交差する方向に延びる走査線と、
前記走査線により走査信号が供給されるスイッチング素子と、
前記データ線により前記スイッチング素子を介して画像信号が供給される画素電極とを備えてなり、
前記基板は、前記画素電極の形成領域として規定される画像表示領域を有し、
前記画像表示領域の周辺には、データ線駆動回路と、前記データ線駆動回路からの配線とを有し、
前記画像表示領域上に、
前記画素電極における電位を保持するための蓄積容量と、
該蓄積容量を構成する容量電極に所定電位を供給する第１配線とを備え、
前記第１配線と同一膜として形成され、前記画像表示領域の周辺に位置する額縁領域の少なくとも一部を構成する額縁パターンを備え、
前記額縁パターンの少なくとも一部は、隣接する前記配線の間隙に平面的に重なるように短冊状に分断されて形成され、浮遊電位とされることを特徴とする。
【００１２】
また、本発明の電気光学装置は、前記配線は、前記データ線駆動回路により制御されるサンまた、本発明の電気光学装置は、基板上に、
一定の方向に延びるデータ線及び該データ線に交差する方向に延びる走査線と、
前記走査線により走査信号が供給されるスイッチング素子と、
前記データ線により前記スイッチング素子を介して画像信号が供給される画素電極とを備えてなり、
前記基板は、前記画素電極の形成領域として規定される画像表示領域を有し、
前記画像表示領域の周辺には、データ線駆動回路と、前記データ線駆動回路により制御されるサンプリング回路から延びる引き出し配線とを有し、
前記画像表示領域の周辺に位置する額縁領域の少なくとも一部を構成する額縁パターンを備え、
前記額縁パターンの少なくとも一部は、隣接する前記引き出し配線の間隙に平面的に重なるように短冊状に分断されて形成され、浮遊電位とされることを特徴とする。
【００１３】
また、本発明の電気光学装置は、基板上に、
一定の方向に延びるデータ線及び該データ線に交差する方向に延びる走査線と、
前記走査線により走査信号が供給されるスイッチング素子と、
前記データ線により前記スイッチング素子を介して画像信号が供給される画素電極とを備えてなり、
前記基板は、前記画素電極の形成領域として規定される画像表示領域を有し、
前記画像表示領域の周辺には、データ線駆動回路と、前記データ線駆動回路により制御されるサンプリング回路とを有し、
前記画像表示領域の周辺に位置する額縁領域の少なくとも一部を構成する額縁パターンを備え、
前記額縁パターンの少なくとも一部は、前記サンプリング回路内における隣接するスイッチング素子の間隙に平面的に重なるように短冊状に分断されて形成され、浮遊電位とされることを特徴とする。
【００１４】
本発明の電気光学装置によれば、スイッチング素子の一例たる薄膜トランジスタに対し走査線を通じて走査信号が供給されることで、そのＯＮ・ＯＦＦが制御される。他方、画素電極に対しては、データ線を通じて画像信号が供給されることで、前記薄膜トランジスタのＯＮ・ＯＦＦに応じて、画素電極に当該画像信号の印加・非印加が行われる。これにより、本発明に係る電気光学装置は、いわゆるアクティブマトリクス駆動が可能とされている。また、本発明においては、画素電極における電位の所定期間保持する蓄積容量が形成されていることにより、該画素電極の電位保持特性が向上されている。
【００１５】
そして、本発明では特に、前記基板は、画像表示領域及び周辺領域を有し、このうちの前者には前記の画素電極、スイッチング素子、蓄積容量及び第１配線が形成されている。更に、本発明では、周辺領域又は画像表示領域及び周辺領域間を画する額縁領域の少なくとも一部に、前記第１配線と同一膜として形成された額縁パターンを備えている。ここで額縁領域とは、例えば、画像表示領域が矩形状である場合には、この矩形状の周囲を所定の幅でもって縁取った領域として規定される。したがって、この場合における額縁領域は、平面視して、ロの字状を有することになる。また、周辺領域は、画像表示領域の中心から見て、このロの字状となる額縁領域の外縁から以遠の領域として規定されることになる。また、「同一膜として形成」されているとは、当該電気光学装置の製造工程において、額縁パターン及び第１配線の前駆膜が同一の機会に成膜され、且つ、この前駆膜に対して同時に所定のパターニング処理（例えば、フォトリソグラフィ及びエッチング工程等）が実施されることを意味する。
【００１６】
そして、前記額縁パターンは、前記のような額縁領域の少なくとも一部に形成されている。これにより、額縁領域を透過しようとする光は、額縁パターンによって、その進行が遮られることになる。したがって、本発明によれば、額縁パターンが形成されている領域に対応する分、背景技術で説明したような光漏れが生じることを未然に防止することが可能となり、もって、画像の周囲に各種の配線等のパターンの像が映り込むなどといったことを防止することが可能となるから、より品質の高い画像を表示することが可能となる。
【００１７】
なお、本発明において、額縁パターンは、画像表示領域に形成される第１配線と電気的に接続されているように形成されてもよいし、又は両者間はパターニング上分断されるように形成されてもよい。
【００１８】
また、本発明において、第１配線が容量電極に所定電位を供給する役割を果たすための構成としては、例えば、該第１配線が、容量電極に接続又は延設されるような構成を採用するとよい。ここに、「容量電極に接続」されるとは、例えば、容量電極及び第１配線が基板上に構築される積層構造中別々の層に形成されている場合において、両者間にコンタクトホールを介することで、これらを電気的に接続する等という場合を含む。他方、第１配線が、「容量電極に・・・延設」されるとは、例えば、該容量電極と平面的に連続する形状を有するパターン（即ち、このパターンにおいては、該パターンが形作られる平面内において第１配線と呼べる部分と容量電極と呼べる部分の双方を含むことになる。）が同一層に形成される等という場合を含む。
【００１９】
さらに、念のため、本発明にいう「額縁パターン」は、額縁領域上に形成されているがゆえに、その名が与えられているというにとどまり、該額縁パターンが、額縁のような形状を有しているということを必ずしも意味しない（額縁パターンが、「額縁領域の少なくとも一部」に形成されているということは、そのような趣旨を含む。）。また、このような額縁パターンは、額縁領域を越えて、周辺領域上に至るように形成されてもよい。
【００２０】
本発明の電気光学装置の他の態様では、前記基板に対向配置される対向基板と、前記基板及び前記対向基板を接着するシール材とを更に備えてなり、前記額縁パターンは、前記シール材が形成されるシール領域の少なくとも一部に形成されている。
【００２１】
この態様によれば、基板及び対向基板が、例えば光硬化性樹脂等からなるシール材により接着されている。この場合、額縁領域が、仮に前記のようなロの字状を有するものとすると、シール材が形成されるシール領域は、該額縁領域のロの字状の全部若しくは一部を含み又は含まずに該額縁領域の外縁以遠に位置し、且つ、該ロの字状よりも若干大きいロの字状を有するものと想定することができる（したがって、このシール領域の少なくとも一部は、前記周辺領域に含まれる領域である。）。
【００２２】
本態様によれば、このように、額縁領域以遠においても、前記額縁パターンが形成されていることにより、シール領域を透過しようとする光もまた、額縁パターンによって、その進行が遮られることになる。したがって、本発明によれば、画像の周囲に各種の配線等のパターンの像が映り込むなどといったことをより効果的に防止することが可能となるから、より品質の高い画像を表示することが可能となる。
【００２３】
本発明の電気光学装置の他の態様では、前記基板に対向配置される対向基板と、該対向基板上に形成される対向電極とを更に備えてなり、前記額縁パターンは、前記対向電極と電気的に接続されている接続部分を有する。
【００２４】
この態様によれば、額縁パターンは、対向電極と電気的に接続された接続部分を有する、すなわち対向電極及び額縁パターンは電気的に接続された状態となり、両者は常に同電位にあることになる。これによると、額縁パターンは、前述した光漏れ防止の機能と対向電極への電位供給機能という二つの機能を同時に果たすことになり、その分、装置構成の簡略化が図れることになる。
【００２５】
本発明の電気光学装置の他の態様では、前記額縁パターンは、前記第１配線と電気的に接続するように形成されている。
【００２６】
この態様によれば、額縁パターン及び第１配線は、常に同電位にあることになる。これによると、額縁パターンは、前述した光漏れ防止の機能と第１配線への電位供給機能という二つの機能を同時に果たすことになり、その分、装置構成の簡略化が図れることになる。ちなみに、額縁パターンと第１配線とは、上述のように同一膜として形成されていることから、両者を「電気的に接続するように形成」するとは、典型的には、額縁遮光膜及び第１配線に共通の前駆膜において両者を分断することなくパターニング処理する場合（すなわち、この場合においては、平面的に連続するパターン上、額縁パターンといえる部分と第１配線といえる部分の双方が存在する。）が想定されることになる。
【００２７】
また、本態様に併せて、前述した額縁パターン及び対向電極間の電気的接続が図られた態様を併せもてば、額縁パターン、対向電極及び第１配線の三者は、常に同電位にあることになる。これによると、装置構成の簡略化はより好適に達成されることになるのは言うまでもない。
【００２８】
接続部分を備える態様では、前記接続部分は、前記対向基板のコーナー部に対応して設けられているように構成してもよい。
【００２９】
このような構成によれば、例えば、画像表示領域が矩形状である場合には、該画像表示領域の四隅に対応するように、或いは該画像表示領域を縁取る額縁領域、或いはそれ以遠のシール領域の四隅に対応するように、接続部分を配置するなどということが可能となる。この場合、額縁パターン及び対向電極間の電気的接続を好適に図りつつ、画像表示を妨げないという作用効果が得られる。
【００３０】
なお、本態様にいう「コーナー部」とは、対向基板自体の四隅の部分を含むのは勿論、これら各隅から一定の平面的な広がり（例えば、当該隅の部分を中心とした同心円的な広がり）を有する部分をも含む概念である。また、接続部分が「コーナー部に対応して設けられている」ということには、該接続部分が前記したような四隅全部に設けられている場合の他、画像表示領域の三隅以下に対応するように設けられているなどという場合も含む。
【００３１】
本発明の電気光学装置の他の態様では、前記額縁パターンは、前記画像表示領域の周囲すべてを囲むように形成されている。
【００３２】
この態様によれば、額縁パターンが、前記画像表示領域の周囲すべてを囲むように形成されていることから、原理上は、額縁領域、或いはシール領域を透過する光を完全に遮断することも可能である。したがって、前記した光漏れの作用はより効果的に発揮されることになり、もってより高品質な画像を表示することが可能となる。
【００３３】
また、この態様において、前記画像表示領域の周囲すべてを囲むように形成された額縁パターンに、前記した対向電極との「接続部分」が存在する場合にあっては、この額縁パターンと対向電極との電気的接続をより確実になすことができる。というのも、額縁パターンは、そのあらゆる部分が電気的に接続されている（換言すれば、間断なきパターンとして形成されている）こと、また、前記接続部分は、上述の例のように、画像表示領域の四隅、即ち額縁パターン、或いはシール領域の四隅に対応するように複数形成可能であることから、たとえ額縁パターンの一部、或いは接続部分のいずれかが何らかの事情により電気的に導通不能となった場合であっても、他の部分によって電気的導通を滞りなく実現することが可能だからである（言い換えれば、額縁パターン、或いは該額縁パターン上の接続部分について冗長的な構造がとられているということができる。）。これにより、このような態様においては、対向電極の電位を極めて安定に維持することが可能となり、該対向電極及び画素電極間に挟持される電気光学物質の一例たる液晶分子の配向状態の調整を好適に行うことができるから、より高品質な画像を表示することが可能となる。
【００３４】
他方、前述した額縁パターンが対向電極と電気的に接続されている接続部分を有する態様では、前記画像表示領域は平面視して矩形状を有し、前記額縁パターンは、前記矩形状の三辺に沿って連続して形成された第1のパターンと、残る一辺に沿って形成されるとともに前記第1のパターンと分断して形成された第２のパターンとを含み、前記接続部分は、前記第1のパターン上に存在するようにしてもよい。
【００３５】
このような構成によれば、まず、額縁パターンが矩形状を有する画像表示領域の三辺に沿って連続して形成された第1のパターンを含み、且つ、前記接続部分はこの第1のパターン上に存在するから、前述の画像表示領域の周囲すべてを囲むように額縁パターンが形成されている態様と同様、額縁パターン及び対向電極間の電気的接続をより確実になすことができ、対向電極の電位を極めて安定に維持することが可能となる。
【００３６】
また、本態様においては、この第1のパターンに加えて、前記矩形状の残る一辺に沿って形成されるとともに前記第1のパターンと分断して形成された第２のパターンを含むことから、次のような作用効果が得られる。すなわち、この第２のパターンの形成される領域が、例えばデータ線駆動回路が形成される領域に対応する場合においては、当該データ線駆動回路により制御されるサンプリング回路に引き回される画像信号線と、対向基板上の対向電極との間で容量カップリングが発生するおそれがある。この容量カップリングが発生すると、一方に対する通電によって、他方における電位に変動を与えてしまうため、所望どおりの画像の表示が困難となることになる。しかるに、本態様によれば、当該領域には、前記の第２のパターンが形成されていることから、画像信号線及び対向電極間には該第２のパターンが存在することになり、前記の容量カップリングの発生を抑制することができるのである。したがって、本態様によれば、所望どおりの画像を好適に表示することができる。
【００３７】
なお、このような作用効果は、前述した、額縁パターンを画像表示領域の周囲すべてを囲むように形成する態様においても、全く同様に享受できることは言うまでもない。
【００３８】
また、本態様にいう「第1のパターン」及び「第２のパターン」、更には以下に後述する態様にいう「第３のパターン」ないし「第６のパターン」という用語は、単に、それぞれが個別の概念で規定される半導体プロセス上のパターンであるということを表しているに過ぎない（換言すれば、「Ａ」乃至「Ｆ」というのは、単なる「名前」に過ぎない。）。
【００３９】
あるいは、前記画像表示領域は平面視して矩形状を有し、前記額縁パターンは、前記矩形状の対向する二辺に沿って形成された第３のパターンと、残る二辺に沿って形成されるとともに前記第３のパターンと分断して形成された第４のパターンとを含み、前記接続部分は、前記第３のパターン上に存在するようにしてもよい。
【００４０】
このような構成によれば、まず、額縁パターンが矩形状を有する画像表示領域の対向する二辺に沿って形成された第３のパターンを含み、且つ、前記接続部分はこの第３のパターン上に存在する。この第３のパターンは、前記の定義上、分断して形成される二本の直線状の配線が含まれることが一般的に想定される。この態様によれば、当該二本の直線状の配線それぞれには、前記接続部分が少なくとも二個存在し得る。したがって、対向電極及び額縁パターン間の電気的接続をより確実になすことができる。
【００４１】
また、本態様においては、この第３のパターンに加えて、前記矩形状の残る二辺に沿って形成されるとともに、前記第３のパターンと分断して形成された第４のパターンを含む。これにより、前記の第２のパターンと同様に、第４のパターンの形成される領域が、例えばデータ線駆動回路が形成される領域に対応する場合においては、画像信号線及び対向電極間の容量カップリングの発生を防止することができる。
【００４２】
さらには、前記画像表示領域は平面視して矩形状を有し、前記額縁パターンは、前記矩形状の一つの角部に対応する部分を除いて連続して形成された第５のパターンと、前記一つの角部に対応する部分に形成されるとともに前記第５のパターンと分断して形成された第６のパターンとを含み、前記接続部分は、前記第５のパターン及び前記第６のパターンの少なくとも一方の上に存在するようにしてもよい。
【００４３】
このような構成によれば、まず、額縁パターンが矩形状を有する画像表示領域の一つの角部に対応する部分を除いて連続して形成された第５のパターンを含み、且つ、該第５のパターン上に前記接続部分が存在し得る。したがって、典型的には、接続部分は、この第５のパターン上に三個存在することが考えられる。
【００４４】
また、本態様においては、この第５のパターンに加えて、前記一つの角部に対応する部分に形成されるとともに前記第５のパターンと分断して形成された第６のパターンを含み、且つ、該第６のパターン上に前記接続部分が存在し得る。したがって、典型的には、接続部分は、この第６のパターン上に一個存在することが考えられる。
【００４５】
以上により、本態様によれば、前述した額縁パターン及び対向電極間の電気的接続の確実性、或いは画像信号線及び対向電極間の容量カップリングの発生抑止等の作用効果が略同様に得られる。
【００４６】
なお、本態様に係る額縁パターンの態様、或いは前述した額縁パターンに関する各種の態様は、額縁パターンの形成態様のバリエーションを増加させる意義を有することは言うまでもない。これにより、外部回路接続端子から、データ線駆動回路、走査線駆動回路、或いは前記接続部分へ引き回す各種配線の配置（ないしはパターニング）を、より容易になすこと等も可能となる。
【００４７】
本発明の電気光学装置の他の態様では、前記周辺領域上に、前記基板の辺縁部に沿って形成された外部回路接続端子と、該外部回路接続端子に延設された第２配線とを更に備え、該第２配線の少なくとも一部は、前記第１配線と同一膜として、且つ、該第１配線と電気的に接続されて形成されている。
【００４８】
この態様によれば、周辺領域には外部回路接続端子及び第２配線が形成されており、このうちの第２配線の少なくとも一部が、第１配線と同一膜として、且つ、該第１配線と電気的に接続されて形成されている。ここで「同一膜として形成されている」とは、額縁パターン及び第１配線に関して既に述べたとおりの意義を有する。これによれば、第２配線の少なくとも一部及び第１配線は、データ線、走査線及び画素電極等が構成する積層構造中同一の層に形成されることになり、また、両者は同一の材料から構成されることとなる。ちなみに、本発明においては第１配線と額縁パターンとが同一膜として形成されることから、本態様によれば結局、第１配線、額縁パターン及び第２配線のいずれもが同一膜として形成されるということになる。
【００４９】
これによれば、第一に、外部回路接続端子、第２配線及び第１配線を、同一層に形成することが可能となるから、これら各要素間における電気抵抗値を低下せしめることができる。
【００５０】
ちなみに、従来においては、前述のような各要素は別々の層に形成されることが行われており、これにより、該各要素間の電気的接続にはコンタクトホール等が利用されることがあった。しかしながら、コンタクトホールを利用してしまうと、該コンタクトホールに起因する高抵抗化がもたらされるおそれが大きいこと、また、コンタクトホール毎に特性が異なるという事態が生じ得ること等から、容量電極、或いはこれから延びる配線の時定数が大きくなり、結果、画像上にクロストークを発生させる等という不具合が生じることがあったのである。なお、前記の配線が、画像表示領域を横切るように形成されている場合には、いわゆる横クロストークとして観察されることになる。
【００５１】
しかるに、本態様においては、既に述べたように、外部回路接続端子、第２配線及び第１配線を同一層に形成することが可能であるから、上述のような不具合を被らなくて済むのである。
【００５２】
また第二に、本態様と、前記した額縁パターンに接続部分を有する態様、或いは画像表示領域の周囲すべてを囲むように額縁パターンが形成される態様、更には前記の第1のパターン、第２のパターン、第３のパターン、第４のパターン、第５のパターン及び第６のパターンを含む額縁パターンを備えた態様とを併せもった電気光学装置（以下、当該電気光学装置の態様を「併用態様」という。）に関しては特に、次のような特有の作用効果を奏することになる。すなわち、この併用態様に係る電気光学装置では、額縁パターンには、これと対向電極との間の接続部分が存在しているから、該額縁パターンは、前記の光漏れ防止の作用効果等に併せて、対向電極に所定の電位を供給する配線としての機能も有している。ここで、この併用態様では、この額縁パターンとともに、第２配線、第１配線もまた、同一膜として形成されているから、これら各要素及び外部回路接続端子間の電気抵抗値は低下せしめることが可能となっているのである。
【００５３】
このようなことから、前記併用態様においては、外部回路接続端子から、第２配線、そして額縁パターンに至るまでの電気抵抗値は低く抑えられることになるから、該額縁パターンの電位は安定した状態を維持することが可能となり、もって対向電極の電位も安定した状態に維持することが可能となるのである。さらに、額縁パターンには、第１配線が電気的に接続され得るから、該第１配線の電位、ひいてはこれに接続又は延設される容量電極の電位もまた、安定した状態に維持することが可能となる。
【００５４】
このように、併用態様によれば、額縁パターン、第２配線及び第１配線が同一膜且つ電気的に接続された状態で形成され、且つ、該額縁パターンに前記接続部分が存在することから、本態様に係る作用効果（低抵抗化）、及び接続部分を有することによる作用効果（対向電極に対する電位供給機能）の双方について、これをより効果的に享受することが可能となるのである。
【００５５】
この態様では、前記第１配線は、前記データ線の上に第１の層間絶縁膜を介して形成されているようにしてもよい。
【００５６】
このような構成によれば、基板上に構築される走査線、データ線、画素電極及び外部回路接続端子等からなる積層構造を好適に構成することが可能となる。
【００５７】
すなわち、まず、外部回路接続端子は、外部に曝される電極を備えなければならないことから、前記の積層構造中、比較的上層に形成されることが好ましい。
さもなければ、積層構造の最上層部分から前記電極に通ずるような比較的深いコンタクトホール等を開孔しなければならないからである。他方、本態様によれば、第１配線は、データ線の上に形成されていることから、該第１配線と同一膜として形成され、外部回路接続端子に接続又は延設される第２配線もまた、データ線の上に形成されることになる。したがって、第２配線は、前記の積層構造中、比較的上層に形成されることになる。
【００５８】
以上により、本態様では、外部回路接続端子を比較的上層に形成するとしても、これに接続又は延設される第２配線もまた比較的上層に形成されることにより、両者間の電気的接続を無理なく実現することが可能となる。このように、本態様によれば、前記の積層構造を好適に形成することが可能となるのである。
【００５９】
或いは、前記第１配線は、前記画素電極を含む層の直下の層に形成されているようにしてもよい。
【００６０】
このような構成によれば、外部回路接続端子及び第２配線間の電気的接続を更に無理なく実現することが可能である。すなわち、画素電極が電気光学物質に対向する必要があることからすると、第１配線が画素電極を含む層の直下の層に形成されているということは、該第１配線が、電気光学物質の層からみて、画素電極との間に一層の絶縁膜を挟むのみで形成されているという場合が典型的には想定されることになる。そして、この場合、第１配線と同一膜として形成される第２配線もまた、画素電極を含む層の直下の層に形成されていることになるから、該第２配線の上には、通常、前記絶縁膜が存在するのみということになる。これは、周辺領域においては、画素電極の直下に形成される絶縁膜の表面が、外部に曝されることとなるのが通常だからである。
【００６１】
したがって、本態様によれば、外部回路接続端子を構成する電極を外部に曝すことは極めて容易となる。また、第２配線との電気的な接続は、前記の電極から該第２配線を延設することによればよい。
【００６２】
このように、本態様によれば、外部回路接続端子及び第２配線間の電気的接続を無理なく実現することが可能となるのである。
【００６３】
また、第２配線を備える電気光学装置の他の態様では、前記第１配線及び前記額縁パターンは電気的に接続されて形成されておらず、且つ、前記第２配線の第１部分及び前記第１配線が電気的に接続され、前記第２配線の第２部分及び前記額縁パターンが電気的に接続されており、前記第１部分は前記外部回路接続端子の第１部分に、前記第２部分は前記外部回路接続端子の第２部分にそれぞれ接続されているようにしてもよい。
【００６４】
このような構成によれば、額縁パターン及び第１配線のそれぞれを異なる電位に維持することができる。この場合、第１配線が容量電極に所定電位を供給するためのものであることに注意するとともに、額縁パターンに対向電極が接続されているという前提を置けば、額縁パターン及び第１配線のそれぞれを異なる電位に維持することができるということは、容量電極及び対向電極のそれぞれを異なる電位に維持することができるということに同義になる。これは、外部回路接続端子の第１部分にある電位を供給すれば、当該第１部分が、第２配線の第１部分、第１配線及び容量電極に接続されていることから、容量電極は当該電位に維持される一方、外部回路接続端子の第２部分に前記ある電位とは異なる電位を供給すれば、当該第２部分が、第２配線の第２部分、額縁パターン及び対向電極に接続されていることから、対向電極は当該電位に維持されることとなるからである。これをまとめれば、以下の表１のようになる。なお、これら各概念を具体化したものについては、後に説明する発明の実施の形態において、〔第５実施形態〕として説明されている。
【００６５】
【表１】
2006106787.tif 000003
【００６６】
これにより、本態様によれば、当該電気光学装置内で発生する各種の電気作用を好適に調整すること等ができる。
【００６７】
本発明の電気光学装置の他の態様では、第１配線は、遮光性材料から構成されている。
【００６８】
この態様によれば、第１配線は容量電極に接続又は延設される配線であって画像表示領域内に形成されるものであるから、画像表示領域内において、当該第１配線が形成されている領域に対応した遮光を実現することができる。これにより、前記スイッチング素子の一例たる薄膜トランジスタを構成する半導体層（活性層）に、みだりに光が入射するという事態を未然に防止することが可能となるから、該半導体層における光リーク電流の発生を抑制することができ、したがって、画像上にフリッカ等が発生することを未然に防止することが可能となる。
【００６９】
また、本態様によれば、該第１配線と同一膜として形成される第２配線もまた、遮光性材料から構成されることになる。したがって、周辺領域上に形成されるスイッチング素子としての薄膜トランジスタについても、前記と同様な作用効果を得ることができ、もって、当該薄膜トランジスタの正確な動作を期することができる。
【００７０】
そしてさらに、本態様によれば、前記第１配線と同一膜として形成される額縁パターンもまた、遮光性材料から構成されることになる。したがって、前記の光漏れ防止の作用効果は、より効果的に享受されることになる。
【００７１】
なお、本態様にいう「遮光性材料」としては、例えば、光反射率が比較的大きいＡｌ（アルミニウム）等を含むほか、Ｔｉ（チタン）、Ｃｒ（クロム）、Ｗ（タングステン）、Ｔａ（タンタル）、Ｍｏ（モリブデン）等の高融点金属のうちの少なくとも一つを含む、金属単体、合金、金属シリサイド、ポリシリサイド、これらを積層したもの等も含む。
【００７２】
本発明の電気光学装置の他の態様では、前記第１配線は、相異なる材料からなる積層構造を有する。
【００７３】
この態様によれば、例えば、第１配線の下層にアルミニウムからなる層、その上層に窒化チタンからなる層等といった二層構造として構成される。この場合、下層のアルミニウム層によれば、高い電気伝導性能及び光反射率が比較的高いことによる遮光性能を享受することができると同時に、上層の窒化チタン層によれば、第１配線上に形成される層間絶縁膜等の前駆膜をパターニング処理する際、或いは該層間絶縁膜等にコンタクトホールを形成する際に、いわゆる突き抜けの発生を防止する機能を享受すること（即ち、該窒化チタンからなる層は、いわゆるエッチストップとして機能する）が可能となる。
【００７４】
このように、本態様によれば、第１配線が「積層構造」を有するものとして構成されることにより、該第１配線に、容量電極に電位を供給するという機能を担わせるのに加えて、新たな機能を付与することが可能であり、その高機能化を図ることができる。
【００７５】
なお、本態様にいう「積層構造」としては、上述の他、種々の構成を採用することが可能であることは言うまでもない。
【００７６】
また、本態様によれば、第１配線と同一膜として形成される第２配線及び額縁パターンもまた、相異なる材料からなる積層構造を有することになるが、この積層構造を構成する各材料の選択は、該第２配線及び該額縁パターンの担う機能（即ち、外部回路接続端子と走査線駆動回路及びデータ線駆動回路の接続（第２配線）や、第２配線から第１配線への電位供給の橋渡し（額縁パターン）等）に考慮した上で、新たな機能を付与するという観点から行うとよい。なお、低抵抗材料の一例たるアルミニウムを含む前記の二層構造は、このような観点からも好ましいということが言える。
【００７７】
本発明の電気光学装置の他の態様では、前記基板に対向配置される対向基板と、該対向基板上に形成された遮光膜を更に備えてなり、前記額縁パターンは、前記遮光膜と重なるように形成されている。
【００７８】
この態様によれば、例えば、対向基板から基板へ向けて光を投射する場合において、額縁領域では、まず、前記遮光膜による遮光が行われ、続いて、額縁パターンによる遮光が行われる。このように、本態様によれば、二重の遮光が実現されることにより、前述した光漏れ防止の作用効果は、より効果的に奏されることになる。
【００７９】
この態様では、前記遮光膜は、前記対向基板の辺縁部に沿うように形成された額縁遮光膜を含むようにしてもよい。
【００８０】
このような構成によれば、遮光膜が額縁遮光膜を含むことから、前述の二重の遮光は、よりよく実現されることになる。
【００８１】
本発明の電子機器は、上記課題を解決するために、上述の本発明の電気光学装置（ただし、その各種態様を含む。）を具備してなる。
【００８２】
本発明の電子機器によれば、上述した本発明の電気光学装置を具備してなるので、画像の周囲に各種の配線等のパターンの像が映り込むなどといったことが未然に防止されることにより、高品質な画像が表示可能な、プロジェクタ、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００８３】
本発明のこのような作用及び他の利得は次に説明する実施の形態から明らかにされる。
【発明を実施するための最良の形態】
【００８４】
以下では、本発明の実施の形態について図を参照しつつ説明する。以下の実施形態は、本発明の電気光学装置を液晶装置に適用したものである。
【００８５】
〔第１実施形態〕
〔電気光学装置の全体構成〕
まず、本発明の電気光学装置に係る第１実施形態の全体構成について、図１及び図２を参照して説明する。ここに、図１は、ＴＦＴアレイ基板をその上に形成された各構成要素と共に対向基板の側から見た電気光学装置の平面図であり、図２は、図１のＨ−Ｈ´断面図である。ここでは、電気光学装置の一例である駆動回路内蔵型のＴＦＴアクティブマトリクス駆動方式の液晶装置を例にとる。
【００８６】
図１及び図２において、第１実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００８７】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、第１実施形態の電気光学装置は、プロジェクタのライトバルブ用として小型で拡大表示を行うのに適している。
【００８８】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。なお、第１実施形態においては、前記の画像表示領域１０ａの周辺を規定する周辺領域が存在する。言い換えれば、第１実施形態においては特に、ＴＦＴアレイ基板１０の中心から見て、この額縁遮光膜５３より以遠が周辺領域として規定されている。
【００８９】
周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿い、且つ、前記額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。このうちデータ線駆動回路１０１及び走査線駆動回路１０４は、外部回路接続端子１０２と配線４０４を介して接続されている。
【００９０】
また、対向基板２０の４つのコーナー部には、両基板間の上下導通端子として機能する上下導通材１０６が配置されている。この上下導通材１０６は、銀粉等の導電性粒子が固められた構成等からなる。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００９１】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００９２】
以上のような全体構成を有する第１実施形態の電気光学装置においては、上述した各種要素のうち、配線４０４、上下導通材１０６等に関する具体的構成について特徴があるが、その点については、図７等を参照しながら後に詳述する。
【００９３】
なお、図１及び図２に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００９４】
〔画素部における構成〕
以下では、本発明の第１実施形態における電気光学装置の画素部における構成について、図３から図７を参照して説明する。ここに図３は、電気光学装置の画像表示領域を構成するマトリクス状に形成された複数の画素における各種素子、配線等の等価回路であり、図４及び図５は、データ線、走査線、画素電極等が形成されたＴＦＴアレイ基板の相隣接する複数の画素群の平面図である。なお、図４及び図５は、それぞれ、後述する積層構造のうち下層部分（図４）と上層部分（図５）とを分かって図示している。
【００９５】
また、図６は、図４及び図５を重ね合わせた場合のＡ−Ａ´断面図であり、図７（ａ）及び図７（ｂ）は、それぞれ、図２における符号Ｚを付した円内部分の拡大図及び図１における上下導通材１０６が存在する部分に関する断面図であって、いずれも図６に示す積層構造に対応する断面図である。なお、図６及び図７においては、各層・各部材を図面上で認識可能な程度の大きさとするため、該各層・各部材ごとに縮尺を異ならしめてある。
【００９６】
（画素部の回路構成）
図３において、第１実施形態における電気光学装置の画像表示領域を構成するマトリクス状に形成された複数の画素には、それぞれ、画素電極９ａと当該画素電極９ａをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００９７】
また、ＴＦＴ３０のゲートにゲート電極３ａが電気的に接続されており、所定のタイミングで、走査線１１ａ及びゲート電極３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎを所定のタイミングで書き込む。
【００９８】
画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００９９】
ここで保持された画像信号がリークするのを防ぐために、画素電極９ａと対向電極との間に形成される液晶容量と並列に蓄積容量７０を付加する。この蓄積容量７０は、走査線１１ａに並んで設けられ、固定電位側容量電極を含むとともに定電位に固定された容量電極３００を含んでいる。
【０１００】
〔画素部の具体的構成〕
以下では、上記データ線６ａ、走査線１１ａ及びゲート電極３ａ、ＴＦＴ３０等による、上述のような回路動作が実現される電気光学装置の、具体的の構成について、図４乃至図７を参照して説明する。
【０１０１】
まず、図４及び図５において、画素電極９ａは、ＴＦＴアレイ基板１０上に、マトリクス状に複数設けられており（点線部により輪郭が示されている）、画素電極９ａの縦横の境界に各々沿ってデータ線６ａ及び走査線１１ａが設けられている。データ線６ａは、後述するようにアルミニウム膜等を含む積層構造からなり、走査線１１ａは、例えば導電性のポリシリコン膜等からなる。また、走査線１１ａは、半導体層１ａのうち図中右上がりの斜線領域で示したチャネル領域１ａ´に対向するゲート電極３ａにコンタクトホール１２ｃｖを介して電気的に接続されており、該ゲート電極３ａは該走査線１１ａに含まれる形となっている。
【０１０２】
すなわち、ゲート電極３ａとデータ線６ａとの交差する箇所にはそれぞれ、チャネル領域１ａ´に、走査線１１ａに含まれるゲート電極３ａが対向配置された画素スイッチング用のＴＦＴ３０が設けられている。これによりＴＦＴ３０（ゲート電極を除く。）は、ゲート電極３ａと走査線１１ａとの間に存在するような形態となっている。
【０１０３】
次に、電気光学装置は、図４及び図５のＡ−Ａ´線断面図たる図６に示すように、例えば、石英基板、ガラス基板、シリコン基板からなるＴＦＴアレイ基板１０と、これに対向配置される、例えばガラス基板や石英基板からなる対向基板２０とを備えている。
【０１０４】
ＴＦＴアレイ基板１０の側には、図６に示すように、前記の画素電極９ａが設けられており、その上側には、ラビング処理等の所定の配向処理が施された配向膜１６が設けられている。画素電極９ａは、例えばＩＴＯ膜等の透明導電性膜からなる。他方、対向基板２０の側には、その全面に渡って対向電極２１が設けられており、その下側には、ラビング処理等の所定の配向処理が施された配向膜２２が設けられている。対向電極２１は、上述の画素電極９ａと同様に、例えばＩＴＯ膜等の透明導電性膜からなる。
【０１０５】
このように対向配置されたＴＦＴアレイ基板１０及び対向基板２０間には、前述のシール材５２（図１及び図２参照）により囲まれた空間に液晶等の電気光学物質が封入され、液晶層５０が形成される。液晶層５０は、画素電極９ａからの電界が印加されていない状態で配向膜１６及び２２により所定の配向状態をとる。
【０１０６】
一方、ＴＦＴアレイ基板１０上には、前記の画素電極９ａ及び配向膜１６の他、これらを含む各種の構成が積層構造をなして備えられている。この積層構造は、図６に示すように、下から順に、走査線１１ａを含む第１層、ゲート電極３ａを含むＴＦＴ３０等を含む第２層、蓄積容量７０を含む第３層、データ線６ａ等を含む第４層、本発明にいう「第１配線」の一例たる容量配線４００等を含む第５層、前記の画素電極９ａ及び配向膜１６等を含む第６層（最上層）からなる。
【０１０７】
また、第１層及び第２層間には下地絶縁膜１２が、第２層及び第３層間には第１層間絶縁膜４１が、第３層及び第４層間には第２層間絶縁膜４２が、第４層及び第５層間には第３層間絶縁膜４３が、第５層及び第６層間には第４層間絶縁膜４４が、それぞれ設けられており、前述の各要素間が短絡することを防止している。また、これら各種の絶縁膜１２、４１、４２、４３及び４４には、例えば、ＴＦＴ３０の半導体層１ａ中の高濃度ソース領域１ｄとデータ線６ａとを電気的に接続するコンタクトホール等もまた設けられている。以下では、これらの各要素について、下から順に説明を行う。なお、前述のうち第１層から第３層までが、下層部分として図４に図示されており、第４層から第６層までが上層部分として図５に図示されている。
【０１０８】
（積層構造・第１層の構成-走査線等-）
まず、第１層には、例えば、Ｔｉ、Ｃｒ、Ｗ、Ｔａ、Ｍｏ等の高融点金属のうちの少なくとも一つを含む、金属単体、合金、金属シリサイド、ポリシリサイド、これらを積層したもの、或いは導電性ポリシリコン等からなる走査線１１ａが設けられている。この走査線１１ａは、平面的にみて、図４のＸ方向に沿うように、ストライプ状にパターニングされている。より詳しく見ると、ストライプ状の走査線１１ａは、図４のＸ方向に沿うように延びる本線部と、データ線６ａ或いは容量配線４００が延在する図４のＹ方向に延びる突出部とを備えている。なお、隣接する走査線１１ａから延びる突出部は相互に接続されることはなく、したがって、該走査線１１ａは１本１本分断された形となっている。
【０１０９】
（積層構造・第２層の構成-ＴＦＴ等-）
次に、第２層として、ゲート電極３ａを含むＴＦＴ３０が設けられている。ＴＦＴ３０は、図６に示すように、ＬＤＤ（Lightly Doped Drain）構造を有しており、その構成要素としては、上述したゲート電極３ａ、例えばポリシリコン膜からなりゲート電極３ａからの電界によりチャネルが形成される半導体層１ａのチャネル領域１ａ´、ゲート電極３ａと半導体層１ａとを絶縁するゲート絶縁膜を含む絶縁膜２、半導体層１ａにおける低濃度ソース領域１ｂ及び低濃度ドレイン領域１ｃ並びに高濃度ソース領域１ｄ及び高濃度ドレイン領域１ｅを備えている。
【０１１０】
また、第１実施形態では、この第２層に、上述のゲート電極３ａと同一膜として中継電極７１９が形成されている。この中継電極７１９は、平面的に見て、図４に示すように、各画素電極９ａのＸ方向に延びる一辺の略中央に位置するように、島状に形成されている。中継電極７１９とゲート電極３ａとは同一膜として形成されているから、後者が例えば導電性ポリシリコン膜等からなる場合においては、前者もまた、導電性ポリシリコン膜等からなる。
【０１１１】
（積層構造・第１層及び第２層間の構成-下地絶縁膜-）
図６に示すように、以上説明した走査線１１ａの上、かつ、ＴＦＴ３０の下には、例えばシリコン酸化膜等からなる下地絶縁膜１２が設けられている。下地絶縁膜１２は、走査線１１ａからＴＦＴ３０を層間絶縁する機能のほか、ＴＦＴアレイ基板１０の全面に形成されることにより、ＴＦＴアレイ基板１０の表面研磨時における荒れや、洗浄後に残る汚れ等で画素スイッチング用のＴＦＴ３０の特性変化を防止する機能を有する。
【０１１２】
この下地絶縁膜１２には、平面的にみて半導体層１ａの両脇に、後述するデータ線６ａに沿って延びる半導体層１ａのチャネル長の方向に沿った溝状のコンタクトホール１２ｃｖが掘られており、このコンタクトホール１２ｃｖに対応して、その上方に積層されるゲート電極３ａは下側に凹状に形成された部分を含んでいる。また、このコンタクトホール１２ｃｖ全体を埋めるようにして、ゲート電極３ａが形成されていることにより、該ゲート電極３ａには、これと一体的に形成された側壁部３ｂが延設されるようになっている。これにより、ＴＦＴ３０の半導体層１ａは、図４によく示されているように、平面的にみて側方から覆われるようになっており、少なくともこの部分からの光の入射が抑制されるようになっている。
【０１１３】
また、この側壁部３ｂは、図４に示すように、前記のコンタクトホール１２ｃｖを埋めるように形成されているとともに、その下端が前記の走査線１１ａと接するようにされている。ここで走査線１１ａは、上述のようにストライプ状に形成されていることから、ある行に存在するゲート電極３ａ及び走査線１１ａは、当該行に着目する限り、常に同電位となる。
【０１１４】
（積層構造・第３層の構成-蓄積容量等-）
さて、図６に示すように、前述の第２層に続けて第３層には、蓄積容量７０が設けられている。蓄積容量７０は、ＴＦＴ３０の高濃度ドレイン領域１ｅ及び画素電極９ａに接続された画素電位側容量電極としての下部電極７１と、固定電位側容量電極としての容量電極３００とが、誘電体膜７５を介して対向配置されることにより形成されている。この蓄積容量７０によれば、画素電極９ａにおける電位保持特性を顕著に高めることが可能となる。また、第１実施形態に係る蓄積容量７０は、図４の平面図を見るとわかるように、画素電極９ａの形成領域にほぼ対応する光透過領域には至らないように形成されているため（換言すれば、遮光領域内に収まるように形成されているため）、電気光学装置全体の画素開口率は比較的大きく維持され、これにより、より明るい画像を表示することが可能となる。
【０１１５】
ここで、上記画素電位側容量電極としての電極が下部電極７１とは逆に蓄積容量７０の上部に設けられる構成でもよい。この場合、当然のことながら固定電位側容量電極としての容量電極３００は蓄積容量７０の下部に設けられることとなる。好適な例としては、画素電位側容量電極がＴＦＴ３０の高濃度ドレイン領域１ｅの延長された高濃度ドレイン領域１ｅと同一膜であり、固定電位側容量電極としての容量電極３００は、ＴＦＴ３０よりさらに下方にあり、ＴＦＴ３０に下方から侵入する入射光を遮光するための遮光層と同一層であってもよい。この場合の後述する容量配線４００は、固定電位側容量電極としての容量電極３００と同一層の膜であることが構造が簡単になり好ましいが、これに限定するものではない。
【０１１６】
より詳細には、下部電極７１は、例えば導電性のポリシリコン膜からなり画素電位側容量電極として機能する。ただし、下部電極７１は、金属又は合金を含む単一層膜又は多層膜から構成してもよい。また、この下部電極７１は、画素電位側容量電極としての機能のほか、画素電極９ａとＴＦＴ３０の高濃度ドレイン領域１ｅとを中継接続する機能をもつ。ちなみに、ここにいう中継接続は、前記の中継電極７１９を介して行われている。
【０１１７】
容量電極３００は、蓄積容量７０の固定電位側容量電極として機能する。第１実施形態において、容量電極３００を固定電位とするためには、固定電位とされた容量配線４００（後述する。）と電気的接続が図られることによりなされている。ここでは、容量電極３００を固定電位とするための接続において、容量配線４００を中継しているが、例えば容量配線４００を容量電極３００と同一膜として延長して形成してもよい。かかる構成により、容量配線４００を別層として必要とせず、接続抵抗による配線抵抗増大もなくなり、容量配線４００としての層を別に設ける必要も無いためプロセスも簡単になる。
【０１１８】
また、容量電極３００は、Ｔｉ、Ｃｒ、Ｗ、Ｔａ、Ｍｏ等の高融点金属のうちの少なくとも一つを含む、金属単体、合金、金属シリサイド、ポリシリサイド、これらを積層したもの、或いは好ましくはタングステンシリサイドからなる。
【０１１９】
これにより、容量電極３００は、ＴＦＴ３０に上側から入射しようとする光を遮る機能を有している。
【０１２０】
誘電体膜７５は、図６に示すように、例えば膜厚５〜２００ｎｍ程度の比較的薄いＨＴＯ（High Temperature Oxide）膜、ＬＴＯ（Low Temperature Oxide）膜等の酸化シリコン膜、あるいは窒化シリコン膜等から構成される。蓄積容量７０を増大させる観点からは、膜の信頼性が十分に得られる限りにおいて、誘電体膜７５は薄いほどよい。
【０１２１】
第１実施形態において、この誘電体膜７５は、図６に示すように、下層に酸化シリコン膜７５ａ、上層に窒化シリコン膜７５ｂというように二層構造を有するものとなっている。上層の窒化シリコン膜７５ｂは画素電位側容量電極の下部電極７１より少し大きなサイズにパターニングされ、遮光領域（非開口領域）内で収まるように形成されている。
【０１２２】
（積層構造、第２層及び第３層間の構成-第１層間絶縁膜-）
以上説明したＴＦＴ３０ないしゲート電極３ａ及び中継電極７１９の上、かつ、蓄積容量７０の下には、例えば、ＮＳＧ（ノンシリケートガラス）、ＰＳＧ（リンシリケートガラス）、ＢＳＧ（ボロンシリケートガラス）、ＢＰＳＧ（ボロンリンシリケートガラス）等のシリケートガラス膜、窒化シリコン膜や酸化シリコン膜等、あるいは好ましくはＮＳＧからなる第１層間絶縁膜４１が形成されている。
【０１２３】
そして、この第１層間絶縁膜４１には、ＴＦＴ３０の高濃度ソース領域１ｄと後述するデータ線６ａとを電気的に接続するコンタクトホール８１が、後記第２層間絶縁膜４２を貫通しつつ開孔されている。また、第１層間絶縁膜４１には、ＴＦＴ３０の高濃度ドレイン領域１ｅと蓄積容量７０を構成する下部電極７１とを電気的に接続するコンタクトホール８３が開孔されている。さらに、この第１層間絶縁膜４１には、蓄積容量７０を構成する画素電位側容量電極としての下部電極７１と中継電極７１９とを電気的に接続するためのコンタクトホール８８１が開孔されている。更に加えて、第１層間絶縁膜４１には、中継電極７１９と後述する第２中継電極６ａ２とを電気的に接続するためのコンタクトホール８８２が、後記第２層間絶縁膜を貫通しつつ開孔されている。
【０１２４】
（積層構造・第４層の構成-データ線等-）
さて、前述の第３層に続けて第４層には、データ線６ａが設けられている。このデータ線６ａは、図６に示すように、下層より順に、アルミニウムからなる層（図６における符号４１Ａ参照）、窒化チタンからなる層（図６における符号４１ＴＮ参照）、窒化シリコン膜からなる層(図６における符号４０１参照)の三層構造を有する膜として形成されている。窒化シリコン膜は、その下層のアルミニウム層と窒化チタン層を覆うように少し大きなサイズにパターニングされている。
【０１２５】
また、この第４層には、データ線６ａと同一膜として、容量配線用中継層６ａ１及び第２中継電極６ａ２が形成されている。これらは、図５に示すように、平面的に見ると、データ線６ａと連続した平面形状を有するように形成されているのではなく、各者間はパターニング上分断されるように形成されている。例えば図５中最左方に位置するデータ線６ａに着目すると、その直右方に略四辺形状を有する容量配線用中継層６ａ１、更にその右方に容量配線用中継層６ａ１よりも若干大きめの面積をもつ略四辺形状を有する第２中継電極６ａ２が形成されている。
【０１２６】
（積層構造・第３層及び第４層間の構成-第２層間絶縁膜-）
以上説明した蓄積容量７０の上、かつ、データ線６ａの下には、例えばＮＳＧ、ＰＳＧ，ＢＳＧ、ＢＰＳＧ等のシリケートガラス膜、窒化シリコン膜や酸化シリコン膜等、あるいは好ましくはＴＥＯＳガスを用いたプラズマＣＶＤ法によって形成された第２層間絶縁膜４２が形成されている。この第２層間絶縁膜４２には、ＴＦＴ３０の高濃度ソース領域１ｄとデータ線６ａとを電気的に接続する、前記のコンタクトホール８１が開孔されているとともに、前記容量配線用中継層６ａ１と蓄積容量７０の上部電極たる容量電極３００とを電気的に接続するコンタクトホール８０１が開孔されている。さらに、第２層間絶縁膜４２には、第２中継電極６ａ２と中継電極７１９とを電気的に接続するための、前記のコンタクトホール８８２が形成されている。
【０１２７】
（積層構造・第５層の構成-容量配線等-）
さて、前述の第４層に続けて第５層には、容量配線４００が形成されている。この容量配線４００は、平面的にみると、図５に示すように、図中Ｘ方向及びＹ方向それぞれに延在するように、格子状に形成されている。該容量配線４００のうち図中Ｙ方向に延在する部分については特に、データ線６ａを覆うように、且つ、該データ線６ａよりも幅広に形成されている。また、図中Ｘ方向に延在する部分については、後述の第３中継電極４０２を形成する領域を確保するために、各画素電極９ａの一辺の中央付近に切り欠き部を有している。
【０１２８】
さらには、図５中、ＸＹ方向それぞれに延在する容量配線４００の交差部分の隅部においては、該隅部を埋めるようにして、略三角形状の部分が設けられている。容量配線４００に、この略三角形状の部分が設けられていることにより、ＴＦＴ３０の半導体層１ａに対する光の遮蔽を効果的に行うことができる。すなわち、半導体層１ａに対して、斜め上から進入しようとする光は、この三角形状の部分で反射又は吸収されることになり半導体層１ａには至らないことになる。したがって、光リーク電流の発生を抑制的にし、フリッカ等のない高品質な画像を表示することが可能となる。
【０１２９】
この容量配線４００は、画素電極９ａが配置された画像表示領域１０ａからその周囲に延設され、対向電極電位や、駆動回路やその他周辺回路の定電位源と電気的に接続されることで、固定電位とされている（後の配線４０４に関する説明参照）。
【０１３０】
このように、データ線６ａの全体を覆うように形成されているとともに、固定電位とされた容量配線４００の存在によれば、該データ線６ａ及び画素電極９ａ間に生じる容量カップリングの影響を排除することが可能となる。すなわち、データ線６ａへの通電に応じて、画素電極９ａの電位が変動するという事態を未然に回避することが可能となり、画像上に該データ線６ａに沿った表示ムラ等を発生させる可能性を低減することができる。第１実施形態においては特に、容量配線４００は格子状に形成されているから、走査線１１ａが延在する部分についても無用な容量カップリングが生じないように、これを抑制することが可能となっている。
【０１３１】
また、第５層には、このような容量配線４００と同一膜として、第３中継電極４０２が形成されている。この第３中継電極４０２は、後述のコンタクトホール８０４及び８９を介して、第２中継電極６ａ２及び画素電極９ａ間の電気的接続を中継する機能を有する。なお、これら容量配線４００及び第３中継電極４０２間は、平面形状的に連続して形成されているのではなく、両者間はパターニング上分断されるように形成されている。
【０１３２】
他方、上述の容量配線４００及び第３中継電極４０２は、下層にアルミニウムからなる層、上層に窒化チタンからなる層の二層構造を有している。このように容量配線４００及び第３中継電極４０２は、光反射性能に比較的優れたアルミニウムを含み、且つ、光吸収性能に比較的優れた窒化チタンを含むことから、該容量配線４００及び該第３中継層４０２は遮光層として機能し得る。すなわち、これらによれば、ＴＦＴ３０の半導体層１ａに対する入射光（図６参照）の進行を、その上側でさえぎることが可能である。
【０１３３】
そして、第１実施形態においては特に、画像表示領域１０ａ以外の領域に、図７（ａ）及び図７（ｂ）に示すように、上述の容量配線４００に延設された引き回し配線、より詳しくは、配線４０４（本発明にいう「第２配線」の一例に該当する。）及び額縁パターン４０６からなる引き回し配線が形成されている。以下では、この引き回し配線の構成について、前述までに触れた各図及び図８を参照しながら説明する。ここに図８は、図１と同趣旨の図であって、特に配線４０４及び額縁パターン４０６からなる引き回し配線と容量配線４００との配置関係を明瞭に図示するための図である。なお、図８においては、前記の目的のため、特に配線４０４の縮尺、或いは額縁パターン４０６の縮尺、平面形状及び配列ピッチ等について適宜視認可能なように変更を加えており、また、図１等に示された要素のうちの幾つか（例えば、図１のデータ線駆動回路１０１、或いは図５の第３中継電極４０２等）の図示が適宜省略されている。
【０１３４】
まず、周辺領域には、図７（a）及び図８に示すように、容量配線４００に額縁パターン４０６を介して延設された配線４０４が形成されている。すなわち、この配線４０４は、第３層間絶縁膜４３上で、容量配線４００及び第３中継電極４０２（以下、「容量配線４００等」ということがある。）と同一膜として形成されている。これにより、配線４０４は、前述の容量配線４００及び第３中継電極４０２と同様に、下層にアルミニウムからなる層、上層に窒化チタンからなる層という二層構造を有している。
【０１３５】
この配線４０４の一部は、図１及び図２を参照して説明した外部回路接続端子１０２Ｑを構成する。具体的には、配線４０４上に形成された第４層間絶縁膜４４に、該配線４０４へ通ずるコンタクトホール４４Ｈ１が形成されることにより、該配線４０４の上面が外部へ露出することによって、外部回路接続端子１０２Ｑが形成されるようになっている。
【０１３６】
なお、この際、コンタクトホール４４Ｈ１の開口時、配線４０４の上層の窒化チタンからなる膜を取り除いてもよい。これにより、該配線４０４と外部回路とを電気的に接続する際、該外部回路は、下層のアルミニウムからなる膜と直接接続されることになるため、接続面で低抵抗化を実現できる。また、配線４０４の上層の窒化チタンからなる膜を残存させたままであると、当該外部回路接続端子１０２Ｑを介して当該電気光学装置の検査を実施する際に、該窒化チタンからなる膜が硬質の膜であるため、検査端子が滑り検査しにくいという不具合の生じることが懸念されるが、該窒化チタンからなる膜を取り除けば、そのような不具合を被らなくて済む。
【０１３７】
ちなみに、図７（ａ）に示すような配線４０４は、図１に示す外部回路接続端子１０２のすべてについて同様に形成されているが、それらのうち容量配線４００に延設されているもの、即ち該容量配線４００と電気的な連絡が図られているものは、当該それらのうちの一部である。すなわち、図８又は図１に示すように、外部回路接続端子１０２のうち、特定の外部回路接続端子１０２Ｑに対応する配線４０４のみが容量配線４００と延設されて形成されるようになっており、残りの外部回路接続端子１０２に対応する配線４０４については、容量配線４００等と同一膜として形成されているものの、両者は、パターニング上分断されるように形成されている。
【０１３８】
他方、第１実施形態においては更に、図７（ｂ）及び図８に示すように、前記の容量配線４００等、更には上述した配線４０４に延設された額縁パターン４０６が形成されている。すなわち、この額縁パターン４０６は、第３層間絶縁膜４３上で、容量配線４００等及び額縁パターン４０６と同一膜として形成されている。これにより、額縁パターン４０６もまた、前述の容量配線４００等と同様に、下層にアルミニウムからなる層、上層に窒化チタンからなる層という二層構造を有している。
【０１３９】
額縁パターン４０６は、図８に示すように、平面視して画像表示領域１０ａと周辺領域とを画する額縁領域（即ち、額縁遮光膜５３の形成領域に対応する領域）及び該額縁領域の周囲のシール材５２の形成領域を埋めるように、或いは画像表示領域１０ａの周囲すべてを囲むように形成されており、全体として略ロの字状を有している。この額縁パターン４０６は、図８中下方に示すように、前記の特定の外部回路接続端子１０２Ｑに接続された配線４０４に延設されているから、額縁パターン４０６及び特定の外部回路接続端子１０２Ｑは、相互に電気的に接続されている。また、額縁パターン４０６は容量配線４００に延設されていることにより、該容量配線４００及び特定の外部回路接続端子１０２Ｑもまた、相互に電気的に接続されている。以上により、結局、特定の外部回路接続端子１０２Ｑに接続された配線４０４、額縁パターン４０６及び容量配線４００は、常に同電位になる。
【０１４０】
また、額縁パターン４０６の一部は、図７（ｂ）に示すように、コンタクトホール４４Ｈ２によって外部に曝された後、上下導通材１０６を含むシール材５２が充填されることにより、額縁パターン４０６及び対向電極２１間にも電気的接続が実現されるようになっている（なお、額縁パターン４０６上、上下導通材１０６と接触する部分を、接続部分４０６Ｃということとする。）。この接続部分４０６Ｃは、図１を参照して説明したように上下導通材１０６が対向基板２０の四つのコーナー部に配置されていることに応じて、当該四つのコーナー部に設けられることになる。
【０１４１】
以上により、第１実施形態においては、特定の外部回路接続端子１０２Ｑに接続された配線４０４、額縁パターン４０６、容量配線４００及び対向電極２１は、常に同じ電位となることになる。
【０１４２】
なお、コンタクトホール４４Ｈ２の開口時には、額縁パターン４０６の上層の窒化チタンからなる膜を取り除いてもよい。これにより、上下導通材１０６は、該額縁パターン４０６の下層のアルミニウムからなる膜と直接接続されることになるため、接続面で低抵抗化を実現できる。また、窒化チタンからなる膜が存在すると、該窒化チタンからなる膜は硬質の膜であるため、上下導通材１０６が埋め込まれるようにならず、接触面積が小さくなって抵抗値が大きくなるという不具合の生じることが懸念されるが、該窒化チタンからなる膜を取り除けば、そのような不具合を被らなくて済む。
【０１４３】
なお、図７においては、画像表示領域に形成される走査線１１ａと同一膜として、段差調整膜１１ａＰが形成され、また、ゲート電極３ａ及び中継電極７１９と同一膜として、段差調整膜３ａＰが形成されている。これら段差調整膜１１ａＰ及び３ａＰの存在により、画像表示領域と周辺領域とにおける積層構造の全体の高さをほぼ同一とする等の調整を行うことができる。
【０１４４】
（積層構造・第４層及び第５層間の構成-第３層間絶縁膜-）
図６に示すように、データ線６ａの上、かつ、容量配線４００の下には、ＮＳＧ、ＰＳＧ、ＢＳＧ、ＢＰＳＧ等のシリケートガラス膜、窒化シリコン膜や酸化シリコン膜等、あるいは好ましくは、ＴＥＯＳガスを用いたプラズマＣＶＤ法で形成された第３層間絶縁膜４３が形成されている。この第３層間絶縁膜４３には、前記の容量配線４００と容量配線用中継層６ａ１とを電気的に接続するためのコンタクトホール８０３、及び、第３中継電極４０２と第２中継電極６ａ２とを電気的に接続するためのコンタクトホール８０４がそれぞれ開孔されている。
【０１４５】
（積層構造・第６層並びに第５層及び第６層間の構成-画素電極等-）
最後に、第６層には、上述したように画素電極９ａがマトリクス状に形成され、該画素電極９ａ上に配向膜１６が形成されている。そして、この画素電極９ａ下には、ＮＳＧ、ＰＳＧ、ＢＳＧ、ＢＰＳＧ等のシリケートガラス膜、窒化シリコン膜や酸化シリコン膜等、あるいは好ましくはＮＳＧからなる第４層間絶縁膜４４が形成されている。この第４層間絶縁膜４４には、画素電極９ａ及び前記の第３中継電極４０２間を電気的に接続するためのコンタクトホール８９が開孔されている。画素電極９ａとＴＦＴ３０との間は、このコンタクトホール８９及び第３中継層４０２並びに前述したコンタクトホール８０４、第２中継層６ａ２、コンタクトホール８８２、中継電極７１９、コンタクトホール８８１、下部電極７１及びコンタクトホール８３を介して、電気的に接続されることとなる。
【０１４６】
また、第１実施形態では、第４層間絶縁膜４４の表面は、ＣＭＰ（Chemical Mechanical Polishing）処理等により平坦化されており、その下方に存在する各種配線や素子等による段差に起因する液晶層５０の配向不良を低減する。ただし、このように第４層間絶縁膜４４に平坦化処理を施すのに代えて、又は加えて、ＴＦＴアレイ基板１０、下地絶縁膜１２、第１層間絶縁膜４１、第２層間絶縁膜４２及び第３層間絶縁膜４３のうち少なくとも一つに溝を掘って、データ線６ａ等の配線やＴＦＴ３０等を埋め込むことにより、平坦化処理を行ってもよい。
【０１４７】
〔当該電気光学装置の作用効果〕
以上のような構成となる第１実施形態の電気光学装置によれば、特に第５層の構成として説明した配線４０４及び額縁パターン４０６からなる引き回し配線が形成されていることから、次のような作用効果が奏されることになる。
【０１４８】
まず第一に、第１実施形態においては、額縁パターン４０６が額縁領域及びシール領域に形成されていることにより、この額縁パターン４０６が形成されている領域においては、図７（ｂ）の矢印Ｌ１に示すように、光漏れが生じることを未然に防止することが可能であるから、画像の周囲に各種の配線等のパターンの像が映り込むなどといったことを防止することが可能となる。したがって、第１実施形態によれば、より品質の高い画像を表示することが可能となる。
【０１４９】
特に、第１実施形態に係る額縁パターン４０６は、画像表示領域１０ａの周囲すべてを囲むように形成されているから、原理上は、額縁領域、或いはシール領域を透過する光を完全に遮断することも可能である。また、額縁パターン４０６は、下層にアルミニウムからなる層、上層に窒化チタンからなる層（いずれも本発明にいう「遮光性材料」の一例に該当する。）という二層構造を有していることから、前記の光遮蔽作用は、より確実に発揮される。さらに、額縁パターン４０６は、図８から明らかなように、画像表示領域１０ａに重ならないように形成されているから、該額縁パターン４０６が、画像表示領域１０ａを透過する光の邪魔になるようなことがない。つまり、画像は所望どおり表示することが可能である。なお、シール材５２が光硬化性樹脂等からなる場合においては、その硬化の際に必要となる光照射は、図７（ｂ）の上方から、即ち対向基板２０側から行うようにすればよい。
【０１５０】
また、これに関連して、第１実施形態においては、対向基板２０上に、額縁遮光膜５３が形成されていることにより、図７（ｂ）の矢印Ｌ２に示すような遮光も実現されることになる。この場合、仮に、額縁遮光膜５３を透過する光があったとしても、その光は、次に控える額縁パターン４０６によって反射又は吸収されることになる。このように、第１実施形態によれば、いわば二重の遮光を実現することができる。
【０１５１】
また第二に、第１実施形態に係る額縁パターン４０６は、上下導通材１０６を介して対向電極２１と電気的接続が図られているとともに、容量配線４００とも電気的接続が図られていることから、該額縁パターン４０６は、前述した光漏れ防止作用の機能に併せて、対向電極２１への電位供給、及び容量配線４００、ひいては容量電極３００への電位供給（この電位供給は、コンタクトホール８０１及び８０３並びに容量配線用中継層６ａ１を介して行われる。図６参照）の機能をももっている。これによって、装置構成の簡略化が実現されることになる。
【０１５２】
これに関連して、上下導通材１０６の配置箇所は、図８及び図１に示すように、画像表示領域１０ａの四隅に対応するようにされているから、額縁パターン４０６及び対向電極２１間の電気的接続を好適に実現しつつも、このことが画像表示の妨げになるようなことがない。加えて、額縁パターン４０６は、画像表示領域１０ａの周囲すべてを囲むように形成されているから、該額縁パターン４０６と対向電極２１との電気的接続をより確実になすことができる。これは、額縁パターン４０６のあらゆる部分が電気的に接続されている（換言すれば、間断なきパターンとして形成されている）こと、また、接続部分４０６Ｃは、画像表示領域１０ａの四隅、即ち額縁パターン４０６の四隅に対応するように複数形成されていることから、たとえ額縁パターン４０６の一部、或いは四つの上下導通材１０６のいずれかが何らかの事情により電気的に導通不能となった場合であっても、他の部分によって電気的導通を滞りなく実現することが可能だからである。
【０１５３】
以上のことにより、第１実施形態によれば、対向電極２１の電位を極めて安定に維持することが可能となり、該対向電極２１及び画素電極９ａ間に挟持される液晶層５０内の液晶分子の配向状態の調整を好適に行うことができるから、より高品質な画像を表示することが可能となる。
【０１５４】
なお、第１実施形態においては、図８に示したように、額縁パターン４０６に接続される外部回路接続端子１０２Ｑは、図中左右に二つ設けられるようになっているが、本発明は、このような形態に限定されない。例えば、図中左及び右のいずれか一方にのみ、額縁パターン４０６に接続される外部回路接続端子１０２Ｑが設けられるような形態を採用してもよい。
【０１５５】
他方、第１実施形態においては、前記のように対向電極２１及び容量配線４００への電位供給機能を有する額縁パターン４０６は、配線４０４の一部、即ち特定の外部回路接続端子１０２Ｑと接続された配線４０４と同一膜として、且つ、電気的に接続されるように形成されていることから、これら各要素が、例えば別々の層に形成され且つコンタクトホール等によって電気的な接続が図られているというような場合に比べて、該各要素間の電気抵抗値を低下せしめることができる。したがって、対向電極２１への安定した電位の供給が実現されるのに加えて、容量配線４００等の高抵抗化を起因とするクロストークの発生等を防止することができる。
【０１５６】
これに関連して、第１実施形態においては、配線４０４及び容量配線４００は、データ線６ａの上に、第３層間絶縁膜４３を介して形成されている。これにより、配線４０４及び容量配線４００を同一膜として形成するということと、外部回路接続端子１０２は外部に曝されなければならないという要請、更には配線４０４及び外部回路接続端子１０２間で電気的連絡を図らなければならないという要請とを比較的容易に達成することが可能となる（図７（ａ）参照）。また、第１実施形態では特に、配線４０４及び容量配線４００は、共に画素電極９ａを含む第６層の直下、即ち該画素電極９ａとの間に第４層間絶縁膜４４のみを介して形成されていることから、前述の作用効果はより効果的に奏されることになる。
【０１５７】
すなわち、このような構成により、外部回路接続端子１０２を構成するためのコンタクトホール４４Ｈ１は、図７（ａ）に示すように第４層間絶縁膜４４についてのみ形成すればよいから、その深度は比較的浅く、該コンタクトホール４４Ｈ１の形成は比較的容易となるのである。
【０１５８】
〔第２実施形態〕
以下では、本発明の第２の実施形態について、図９乃至図１１を参照しながら説明する。ここに図９は、図８と同趣旨の図であって、額縁パターンの形成態様が異なるものである。ただし、図９においては、図８とは異なり、容量配線４００についての図示も省略している。また、図１０及び図１１は、図９に示す符号Ｄ付近を拡大し且つ当該部分における回路構成等を併せて示す説明図である。なお、第２実施形態では、前述した第１実施形態の電気光学装置の全体構成、画素部の構成等の殆どの部分については全く同様である。したがって、以下では、第１実施形態と同様な部分についての説明は省略し、主に、第２実施形態に特徴的な構成についてのみ説明を加えることとする。
【０１５９】
図９においては、額縁パターン４６１Ａ及び４６１Ｂからなる額縁パターン４６１が形成されている。このうち額縁パターン４６１Ａは、本発明にいう「第1のパターン」の一例に該当し、図９に示すように、矩形状を有する画像表示領域１０ａの三辺（図中上辺並びに左辺及び右辺）に沿って連続して形成されている。また、額縁パターン４６１Ｂは、本発明にいう「第２のパターン」の一例に該当し、画像表示領域１０ａの残る一辺（図中下辺）に沿って形成されるとともに前記の額縁パターン４６１Ａと分断して形成されている（図中符号４６１Ｇ参照。）。そして、上下導通材１０６は、これらのうち額縁パターン４６１Ａ上に存在する。
【０１６０】
このような形態によれば、前述の第１実施形態と同様、額縁パターン４６１Ａ及びその上の四つの上下導通材１０６について冗長的な構造がとられていることにより、額縁パターン４６１及び対向電極２１間の電気的接続をより確実になすことができ、対向電極２１の電位を極めて安定に維持することが可能となる。また、額縁パターン４６１Ａ及び４６１Ｂの存在によって、光漏れ防止の作用効果が得られることも、前述の第１実施形態と同様である。
【０１６１】
また、第２実施形態においては特に、額縁パターン４６１Ｂによって次のような作用効果が得られる。すなわち、第２実施形態では、額縁パターン４６１Ｂは、図９において図示が省略されているデータ線駆動回路１０１（図１参照）が形成される領域に対応して形成されている。
【０１６２】
このデータ線駆動回路１０１付近の構成は、図１０に示すようになっている。
すなわち、データ線駆動回路１０１から引き出された制御線１１４は、サンプリング回路１１８を構成するスイッチング素子２０２のゲートに接続されている。
【０１６３】
他方、スイッチング素子２０２のソースには、引き出し配線１１６を介して画像信号線１１５が接続されており、そのドレインにはデータ線６ａが接続されている。これにより、データ線駆動回路１０１によってスイッチング素子２０２のＯＮ・ＯＦＦが制御されることで、画像信号線１１５からデータ線６ａへの画像信号の供給の有無が制御されるようになっている。
【０１６４】
しかしながら、このような構成を備えているデータ線駆動回路１０１付近の構成では、前記の引き出し配線１１６と、対向基板２０上の対向電極２１との間で容量カップリングが発生するおそれがあるのである。この容量カップリングが発生すると、一方に対する通電によって、他方における電位に変動を与えてしまうため、所望どおりの画像の表示が困難となることになる。
【０１６５】
しかるに、第２実施形態によれば、当該領域には、図１０に示すように、前記の額縁パターン４６１Ｂが形成されていることから、画像信号線１１５及び対向電極２１間には該額縁パターン４６１Ｂが存在することになり、前記の容量カップリングの発生を抑制することができるのである。したがって、第２実施形態によれば、所望どおりの画像を好適に表示することができる。ちなみに、このような作用をより効果的に得るためには、額縁パターン４６１Ｂを固定電位に維持しておくことが好ましい。そのためには、例えば該額縁パターン４６１Ｂを、図９において図示されない容量配線４００（図８参照）に接続しておくようにしておくとよい。
【０１６６】
なお、このような作用効果は、前述した第１実施形態のように、額縁パターン４０６を画像表示領域１０ａの周囲すべてを囲むように形成する態様においても、同様に享受できる。
【０１６７】
また、上記第２実施形態においては、額縁パターン４６１Ｂが、サンプリング回路１１８及び該サンプリング回路１１８から延びる引き出し配線１１６をほぼ全部覆うように形成されているが、本発明は、このような形態に限定されない。
【０１６８】
例えば、図１１に示すように、短冊状に分断された額縁パターン４６１ＢＢを形成するようにしてもよい。ちなみに、このような構成を採用する場合においては、図１０とは異なり、これら短冊状の額縁パターン４６１ＢＢを固定電位に維持する必要はなく、フローティング（浮遊電位）にしておいてよい。
【０１６９】
〔第３実施形態〕
以下では、本発明の第３の実施形態について、図１２を参照しながら説明する。ここに図１２は、図８と同趣旨の図であって、額縁パターンの形成態様が異なるものである。ただし、図１２においては、図８とは異なり、容量配線４００についての図示も省略している。なお、第３実施形態では、前述した第１実施形態の電気光学装置の全体構成、画素部の構成等の殆どの部分については全く同様である。したがって、以下では、第１実施形態と同様な部分についての説明は省略し、主に、第３実施形態に特徴的な構成についてのみ説明を加えることとする。
【０１７０】
図１２においては、額縁パターン４６２Ｃ及び４６２Ｄからなる額縁パターン４６２が形成されている。このうち額縁パターン４６２Ｃは、本発明にいう「第３のパターン」の一例に該当し、図１２に示すように、矩形状を有する画像表示領域１０ａの対応する二辺（図中左辺及び右辺）に沿って形成されている。また、額縁パターン４６２Ｄは、本発明にいう「第４のパターン」の一例に該当し、画像表示領域１０ａの残る二辺（図中上辺及び下辺）に沿って形成されるとともに前記の額縁パターン４６２Ｃと分断して形成されている（図中符号４６２Ｇ参照）。
【０１７１】
そして、上下導通材１０６は、これらのうち額縁パターン４６２Ｃ上に存在する。
【０１７２】
このような形態によれば、図１２中、画像表示領域１０ａの左辺及び右辺に沿って、二本の直線状パターンとして形成された額縁パターン４６２Ｃには、それぞれ、上下導通材１０６が二個ずつ存在している。したがって、この点に関しては、第１実施形態と同様、冗長的な構造がとられているということができるから、額縁パターン４６２及び対向電極２１間の電気的接続をより確実になすことができる。
【０１７３】
また、額縁パターン４６２Ｄによれば、前記第２実施形態の額縁パターン４６１Ｂと同様に、引き出し配線１１６及び対向電極２１間における容量カップリングの発生を極力防止することができる。
【０１７４】
むろん、額縁パターン４６２Ｃ及び４６２Ｄの存在によって、光漏れ防止の作用効果が得られることも、前述の第１実施形態と同様である。
【０１７５】
〔第４実施形態〕
以下では、本発明の第４の実施形態について、図１３を参照しながら説明する。ここに図１３は、図８と同趣旨の図であって、額縁パターンの形成態様が異なるものである。ただし、図１３においては、図８とは異なり、容量配線４００についての図示も省略している。なお、第４実施形態では、前述した第１実施形態の電気光学装置の全体構成、画素部の構成等の殆どの部分については全く同様である。したがって、以下では、第１実施形態と同様な部分についての説明は省略し、主に、第４実施形態に特徴的な構成についてのみ説明を加えることとする。
【０１７６】
図１３においては、額縁パターン４６３Ｅ及び４６３Ｆからなる額縁パターン４６３が形成されている。このうち額縁パターン４６３Ｅは、本発明にいう「第５のパターン」の一例に該当し、図１３に示すように、矩形状を有する画像表示領域１０ａの一つの角部に対応する部分を除いて連続して形成されている。また、額縁パターン４６３Ｆは、本発明にいう「第６のパターン」の一例に該当し、前記一つの角部に対応する部分に形成されるとともに前記額縁パターン４６３Ｅと分断して形成されている（図中符号４６３Ｇ参照）。そして、上下導通材１０６は、これらのうち額縁パターン４６３Ｅ及び４６３Ｆのいずれの上にも存在する。
【０１７７】
このような形態によれば、前記第１から第３実施形態と略同様な作用効果、すなわち額縁パターン４６３及び対向電極２１間の電気的接続の確実性、或いは引き出し配線１１６及び対向電極２１間の容量カップリングの発生抑止、更には、光漏れ防止等の作用効果が略同様に得られることが明白である。
【０１７８】
〔第５実施形態〕
以下では、本発明の第５の実施形態について、図１４を参照しながら説明する。ここに図１４は、図８と同趣旨の図であって、額縁パターンの形成態様等が異なるものである。なお、第５実施形態では、前述した第１実施形態の電気光学装置の全体構成、画素部の構成等の殆どの部分については全く同様である。したがって、以下では、第１実施形態と同様な部分についての説明は省略し、主に、第５実施形態に特徴的な構成についてのみ説明を加えることとする。
【０１７９】
まず、図１４においては、上記第４実施形態と略同様なパターン形状を有する額縁パターン４６４が形成されている。すなわち、額縁パターン４６４は、画像表示領域１０ａの一つの角部を除いて連続に形成された額縁パターン４６４Ｅ及び前記一つの角部に対応する部分に形成された額縁パターン４６４Ｆからなる。
【０１８０】
また、これらの額縁パターン４６４Ｅ及び４６４Ｆには、それぞれ、三つ及び一つの上下導通材１０６が形成されていること、該上下導通材１０６に電位を供給するための配線４０４が形成されていること、及び該配線４０４の一部は特定の外部回路接続端子１０２Ｑに接続されていることも、上記第４実施形態と同様である。ただし、第５実施形態に係る配線４０４は特に、本発明にいう「第２配線の第１部分」の一例に該当し、特定の外部回路接続端子１０２Ｑは、本発明にいう「外部回路接続端子の第１部分」の一例に該当する。
【０１８１】
そして、第５実施形態において、この額縁パターン４６４Ｅ及び４６４Ｆは、容量配線と電気的に接続されていない。すなわち、額縁パターン４６４と容量配線４００´とは、同一膜として形成されてはいるものの、パターニング上分断されるように形成されているのである（図中符号４６Ｇ参照）。そして、このように額縁パターン４６４から電位の供給を受けることのできない容量配線４００´には、配線４０８が延設されるようになっている。この配線４０８は、本発明にいう「第２配線の第２部分」の一例に該当し、額縁パターン４６４Ｅ及び４６４Ｆを分ける間隙４６４Ｇ間を抜けて、特定の外部回路接続端子１０２Ｒ（本発明にいう「外部回路接続端子の第２部分」の一例に該当する。）に接続されている。
【０１８２】
以上をまとめると、第５実施形態では、配線４０４、額縁パターン４６４、配線４０８及び容量配線４００´は、すべて同一膜として形成されているが（第３中継電極４０２を勿論含む。）、配線４０４と額縁パターン４６４との間、及び、配線４０８と容量配線４００´との間のそれぞれについては電気的接続が図られているものの、前者及び後者間には電気的な連絡がなされていないのである。
【０１８３】
このような形態によれば、対向電極２１と、容量配線４００´ひいては容量電極３００とに与える電位を異ならせることができる。すなわち、対向電極２１は、上下導通材１０６を介して額縁パターン４６４、配線４０４、特定の外部回路接続端子１０２Ｑに接続されているから、該外部回路接続端子１０２Ｑに対向電極２１用の電位を供給すれば、対向電極２１を当該電位に維持することができる。一方、容量配線４００´、ひいてはこれに電気的に接続されている容量電極３００（図６参照）は、配線４０８、特定の外部回路接続端子１０２Ｒに接続されているから、該外部回路接続端子１０２Ｒに、前記対向電極２１用の電位とは異なる容量電極３００用の電位を供給すれば、該容量電極３００を当該電位に維持することができるのである。このように、第５実施形態によれば、対向電極２１及び容量電極３００それぞれを異なる電位に維持することができることから、当該電気光学装置内で発生する各種の電気作用を好適に調整すること等ができる。
【０１８４】
なお、第５実施形態においても、上記第１から第４実施形態と同様に、額縁パターン４６４及び対向電極２１間の確実な電気的接続の確保、或いは画像信号線１１５及び対向電極２１間の容量カップリング発生の抑制、更には光漏れ防止等が可能であることに変わりない。
【０１８５】
なお、上記第２から第４実施形態においては、額縁パターン４６１、４６２及び４６３には、上下導通材１０６及び対向電極２１並びに容量配線４００が電気的に接続されていることから、特定の外部回路接続端子１０２Ｑには、対向電極２１及び容量配線４００或いは容量電極３００に共通の電位を供給する必要がある。ただし、本発明は、このような形態に限定されない。すなわち、第５実施形態として述べたように、上記第２から第４実施形態においても、額縁パターン４６１、４６２及び４６３を構成する間隙４６１Ｇ、４６２Ｇ及び４６３Ｇを利用して、容量配線４００或いは容量電極３００用の電位を、対向電極２１用の電位とは別個に供給するようにしてもよい。
【０１８６】
また、上記第１から第５実施形態においては、特定の外部回路接続端子１０２Ｑ又は１０２Ｒに供給される電位を、走査線駆動回路１０４に供給される低電位側の定電位として利用してもよい。これによると、対向電極２１、容量電極３００の電位は、当該定電位と同じになる。或いはまた、上述のような構成に代えて、外部回路接続端子１０２Ｑ又は１０２Ｒに供給される電位を、データ線駆動回路１０１に供給される定電位として使用しても構わない。
【０１８７】
（電子機器）
次に、以上詳細に説明した電気光学装置をライトバルブとして用いた電子機器の一例たる投射型カラー表示装置の実施形態について、その全体構成、特に光学的な構成について説明する。ここに、図１５は、投射型カラー表示装置の図式的断面図である。
【０１８８】
図１５において、本実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として投射される。
【０１８９】
本発明は、上述した実施形態に限られるものではなく、請求の範囲及び明細書全体から読み取れる発明の要旨、あるいは思想に反しない範囲で適宜変更可能であり、そのような変更を伴う電気光学装置及び電子機器もまた、本発明の技術的範囲に含まれるものである。
【図面の簡単な説明】
【０１９０】
【図１】ＴＦＴアレイ基板をその上に形成された各構成要素と共に対向基板の側から見た電気光学装置の平面図である。
【図２】図１のＨ−Ｈ´断面図である。
【図３】電気光学装置の画像表示領域を構成するマトリクス状に形成された複数の画素における各種素子、配線等の等価回路である。
【図４】データ線、走査線、画素電極等が形成されたＴＦＴアレイ基板の相隣接する複数の画素群の平面図であって、下層部分（図６における符号７０（蓄積容量）までの下層の部分）に係る構成のみを示すものである。
【図５】データ線、走査線、画素電極等が形成されたＴＦＴアレイ基板の相隣接する複数の画素群の平面図であって、上層部分（図６における符号７０（蓄積容量）を越えて上層の部分）に係る構成のみを示すものである。
【図６】図４及び図５を重ね合わせた場合のＡ−Ａ´断面図である。
【図７】図６に示す積層構造に対応する断面図であって、（ａ）は図２における符号Ｚを付した円内部分の拡大図、（ｂ）は図２における符号Ｓを付した円内部分の拡大図である。
【図８】図１と同趣旨の図であって、特に額縁パターン及び容量配線等の構成を説明するため両要素の配置関係を明瞭に図示するものである。
【図９】図８と同趣旨の図であって、本発明の第２実施形態の電気光学装置に係る額縁パターンの態様を示すものである。
【図１０】図９に示す符号Ｄ付近を拡大し且つ当該部分における回路構成等を併せて示す説明図である。
【図１１】図１０と同趣旨の図であって、額縁パターンの形成態様が異なるものを示すものである。
【図１２】図８と同趣旨の図であって、本発明の第３実施形態の電気光学装置に係る額縁パターンの態様を示すものである。
【図１３】図８と同趣旨の図であって、本発明の第４実施形態の電気光学装置に係る額縁パターンの態様を示すものである。
【図１４】図８と同趣旨の図であって、本発明の第５実施形態の電気光学装置に係る額縁パターンの態様を示すものである。
【図１５】本発明の各実施形態に係る投射型液晶装置の平面図である。
【符号の説明】
【０１９１】
１０・・・ＴＦＴアレイ基板、１０ａ・・・画像表示領域、３ａ・・・走査線、６ａ・・・データ線、３０・・・ＴＦＴ、９ａ・・・画素電極、７０・・・蓄積容量、３００・・・容量電極、４００・・・容量配線（第１配線）、４０６、４６１、４６２、４６３、４６４・・・額縁パターン、４０４、４０８・・・配線（第２配線）、１０１・・・データ線駆動回路、１０４・・・走査線駆動回路、１０２・・・外部回路接続端子、１０６・・・上下導通材、２０・・・対向基板、２１・・・対向電極、５３・・・額縁遮光膜。
【図１】
2006106787.tif 000004
【図２】
2006106787.tif 000005
【図３】
2006106787.tif 000006
【図４】
2006106787.tif 000007
【図５】
2006106787.tif 000008
【図６】
2006106787.tif 000009
【図７】
2006106787.tif 000010
【図８】
2006106787.tif 000011
【図９】
2006106787.tif 000012
【図１０】
2006106787.tif 000013
【図１１】
2006106787.tif 000014
【図１２】
2006106787.tif 000015
【図１３】
2006106787.tif 000016
【図１４】
2006106787.tif 000017
【図１５】
2006106787.tif 000018